(57)【要約】【課題】自動販売機の外扉を上方に持ち上げる、外扉を前方にこじ開ける、もしくは自動販売機の本体キャビネットを外側に変形する不正行為があっても外扉の開放を防止する。【解決手段】外扉３を閉塞状態にしたとき、外扉３に固定した第１係合部３１の係合鉤片３１２が、本体キャビネットの底台２ａに固定した第２係合部３２の係合穴片３２２の係合穴３２２ａに挿通係合する。この状態で外扉３を上方に移動しても、係合鉤片３１２が係合穴３２２ａの周縁に当接して外扉３を上方に移動できない。また外扉３を前方にこじ開けようとしても、係合鉤片３１２が係合穴３２２ａの周縁に当接して外扉３を前方に移動できない。さらに本体キャビネットの周壁を外側に変形しても、第１係合部３１が外扉３に固定してあり第２係合部３２が底台２ａに固定してあって本体キャビネット２の周壁２ｃと関わらず設けてあるため係合対３０の互いの係合を無効化できない。【選択図】        図７
2006065474.tif 000002
【特許請求の範囲】
【請求項１】
自動販売機の本体キャビネットの前面開口を開閉する態様で上下方向に軸心を有するヒンジ軸を中心にして移動する外扉と、前記本体キャビネットの周壁の下端を支持する底台とにそれぞれ固定してあって、前記外扉が閉塞状態にあるときに互いに係合する係合対を備えたことを特徴とする自動販売機の防盗構造。
【請求項２】
前記係合対は、
前記本体キャビネット内に延在する第１係合部と、
前記第１係合部の上方への移動を阻止する態様で当該第１係合部を挿通係合する第２係合部と
を有してなることを特徴とする請求項１に記載の自動販売機の防盗構造。
【請求項３】
前記係合対は、前記ヒンジ軸の後側で互いに係合する配置にして設けてあることを特徴とする請求項１または２に記載の自動販売機の防盗構造。
【請求項４】
前記係合対は、
前記本体キャビネット内に延在する第１係合部と、
前記第１係合部の前方および上方への移動を阻止する態様で当該第１係合部を挿通係合する第２係合部と
を有してなることを特徴とする請求項１に記載の自動販売機の防盗構造。
【請求項５】
前記係合対は、前記ヒンジ軸から離間した位置で互いに係合する配置にして設けてあることを特徴とする請求項４に記載の自動販売機の防盗構造。
【請求項６】
前記係合対は、前記本体キャビネットの内部に配置してあることを特徴とする請求項１〜５の何れか一つに記載の自動販売機の防盗構造。
【請求項７】
前記係合対は、自動販売機の本体キャビネットの前面開口を開閉する態様で上下方向に軸心を有するヒンジ軸を中心にして移動する外扉と、前記本体キャビネットの周壁の上端を支持する天板とにもそれぞれ固定してあることを特徴とする請求項１〜６の何れか一つに記載の自動販売機の防盗構造。
【発明の詳細な説明】
【技術分野】
【０００１】
本発明は、自動販売機に係り、例えば外扉のヒンジ軸を破壊して当該外扉を開けようとする不正行為を阻止する自動販売機の防盗構造に関するものである。
【背景技術】
【０００２】
従来、自動販売機の防盗構造は、本体キャビネットにヒンジ軸によって開閉自在に支持してある外扉のヒンジ軸近傍に防盗板を設けてある。防盗板は、外扉を閉塞したときに本体キャビネットの内壁側に形成した係合穴に挿通するものであり、外扉を上方に持ち上げようとしたとき、もしくはヒンジ軸近傍を前方にこじ開けようとしたときに防盗板の一部が係合穴の周縁部に当接して外扉の移動を規制する。さらに、従来の自動販売機の防盗構造は、高さ方向中央部付近のヒンジ軸の回転中心軸側において本体キャビネットと外扉との間へのバールなどの進入を塞ぐ中央防盗板と、外扉の高さ方向中央部付近を前方にこじ開けようとしたときに本体キャビネットと外扉とを係合する係合凹部とを設けてある（例えば、特許文献１参照）。
【０００３】
【特許文献１】特開２００１−１０９９４０号公報
【発明の開示】
【発明が解決しようとする課題】
【０００４】
しかしながら、従来の自動販売機の防盗構造では、本体キャビネットを外側に変形した場合や外扉を持ち上げた場合では、防盗板および係合凹部の効果を得ることができないという問題がある。
【０００５】
本発明は、上記実情に鑑みて、自動販売機の外扉を上方に持ち上げる不正行為、外扉を前方にこじ開ける不正行為、もしくは自動販売機の本体キャビネットを外側に変形する不正行為があっても外扉の開放を防止することができる自動販売機の防盗構造を提供することを目的とする。
【課題を解決するための手段】
【０００６】
上記の目的を達成するために、本発明の請求項１に係る自動販売機の防盗構造は、自動販売機の本体キャビネットの前面開口を開閉する態様で上下方向に軸心を有するヒンジ軸を中心にして移動する外扉と、前記本体キャビネットの周壁の下端を支持する底台とにそれぞれ固定してあって、前記外扉が閉塞状態にあるときに互いに係合する係合対を備えたことを特徴とする。
【０００７】
本発明の請求項２に係る自動販売機の防盗構造は、上記請求項１において、前記係合対は、前記本体キャビネット内に延在する第１係合部と、前記第１係合部の上方への移動を阻止する態様で当該第１係合部を挿通係合する第２係合部とを有してなることを特徴とする。
【０００８】
本発明の請求項３に係る自動販売機の防盗構造は、上記請求項１または２において、前記係合対は、前記ヒンジ軸の後側で互いに係合する配置にして設けてあることを特徴とする。
【０００９】
本発明の請求項４に係る自動販売機の防盗構造は、上記請求項１において、前記係合対は、前記本体キャビネット内に延在する第１係合部と、前記第１係合部の前方および上方への移動を阻止する態様で当該第１係合部を挿通係合する第２係合部とを有してなることを特徴とする。
【００１０】
本発明の請求項５に係る自動販売機の防盗構造は、上記請求項４において、前記係合対は、前記ヒンジ軸から離間した位置で互いに係合する配置にして設けてあることを特徴とする。
【００１１】
本発明の請求項６に係る自動販売機の防盗構造は、上記請求項１〜５のいずれか一つにおいて、前記係合対は、前記本体キャビネットの内部に配置してあることを特徴とする。
【００１２】
本発明の請求項７に係る自動販売機の防盗構造は、上記請求項１〜６のいずれか一つにおいて、前記係合対は、自動販売機の本体キャビネットの前面開口を開閉する態様で上下方向に軸心を有するヒンジ軸を中心にして移動する外扉と、前記本体キャビネットの周壁の上端を支持する天板とにもそれぞれ固定してあることを特徴とする。
【発明の効果】
【００１３】
本発明に係る自動販売機の防盗構造は、互いに係合する係合対が、外扉と、本体キャビネットの周壁の下端を支持する底台とにそれぞれ固定してあり、自動販売機における本体キャビネットの周壁と関わらずに設けてある。このため、本体キャビネットの周壁を外側に変形して外扉をこじ開けようとする不正行為があっても、係合対の係合を無効化することができないので外扉の開放を防止することができる。係合対は、本体キャビネットの周壁と関わらずに設けてあるので、既存の自動販売機に対して大がかりな変更もなく係合対を取り付けることができる。
【００１４】
係合対は、本体キャビネット内に延在する第１係合部と、第１係合部の上方への移動を阻止する態様で当該第１係合部を挿通係合する第２係合部とを有してなる。すなわち、自動販売機の外扉を前方にこじ開ける不正行為があっても第１係合部と第２係合部とが係合するので外扉の開放を防止することができる。
【００１５】
係合対は、ヒンジ軸の後側で互いに係合する配置にして設けてある。すなわち、自動販売機の外扉を前方にこじ開けようとする不正行為があってもヒンジ軸による邪魔と係合対の係合とが相俟って外扉を前方に移動することができないので外扉の開放を防止することができる。
【００１６】
係合対は、本体キャビネット内に延在する第１係合部と、第１係合部の前方および上方への移動を阻止する態様で当該第１係合部を挿通係合する第２係合部とを有してなる。すなわち、自動販売機の外扉を前方および上方にこじ開ける不正行為があっても第１係合部と第２係合部とが係合するので外扉の開放を防止することができる。さらに、この係合対をヒンジ軸から離間した位置で互いに係合する配置にして設けることによって、自動販売機の外部から係合対の位置を認識することができないので係合対の互いの係合を無効化する不正行為を回避することができる。
【００１７】
係合対は、本体キャビネットの内部に配置してある。すなわち、自動販売機の外部から係合対の位置を認識することができないので係合対の互いの係合を無効化する不正行為を回避することができる。
【００１８】
係合対は、外扉と、本体キャビネットの周壁の上端を支持する天板とにもそれぞれ固定してある。すなわち、防盗性を向上することができる。
【発明を実施するための最良の形態】
【００１９】
以下に添付図面を参照して、本発明に係る自動販売機の防盗構造の好適な実施例を詳細に説明する。なお、この実施例によりこの発明が限定されるものではない。
【実施例１】
【００２０】
図１は本発明に係る防盗構造を適用した自動販売機の外観を示す正面図、図２は図１に示した自動販売機の内部構造を示す斜視図である。
【００２１】
図１および図２に示すように、自動販売機１は、本体キャビネット２と、本体キャビネット２に開閉可能に設けた外扉３とを有している。
【００２２】
図２に示すように本体キャビネット２は、矩形状の底台２ａおよび天板２ｂの間に周壁２ｃを支持して前面開口を有した方形箱状に形成してある。本体キャビネット２は、鋼板を折曲してなる底台２ａ、天板２ｂの間に周壁２ｃ支持して組み合わせて構成することによって堅牢に形成してある。また、本体キャビネット２の底台２ａの底面には、高さ調整脚４が設けてある。高さ調整脚４は、底台２ａに螺着したネジ部４ａの下端に皿状の脚部４ｂが設けてあって、自動販売機１を載置する床面に対して自動販売機１の高さや水平度を調整保持するためのものである。この高さ調整脚４は、底台２ａの四隅近傍にそれぞれ設けてある。
【００２３】
図２に示すように本体キャビネット２の内部には、商品収容庫５が複数独立して並設してある。商品収容庫５は、外周を断熱材などで覆って商品を所望の温度に維持した状態で収容するためのものである。各商品収容庫５には、コラム状のラック６が配置してある。各ラック６の上部には、商品を補充するための補充口６ａが設けてある。補充口６ａより商品を補充することによってラック６の内部に商品が収容される。また、各ラック６の下方には、前面側に向けて下降してあってラック６から切り出された商品を転動移送するシュータ７が設けてある。また、各商品収容庫５においてシュータ７によって区画される下方域には、熱交換器（図示せず）が配設してあり、当該熱交換器の駆動により、各ラック６に収容した商品を所望の冷却温度、あるいは加熱温度に維持することが可能である。また、各商品収容庫５において補充口６ａを除くラック６およびシュータ７を含む前面は、本体キャビネット２に支承した内扉８によって開閉可能に構成してある。内扉８には、シュータ７によって転動移送された商品を前側外部に排出する排出口８ａが設けてある。
【００２４】
外扉３は、鋼板を組み合わせて構成することによって堅牢に形成してある。図１に示すように外扉３は、本体キャビネット２の底台２ａと天板２ｂとにそれぞれ固定した各ヒンジ軸１０を介して支承してあり、本体キャビネット２の前面開口を開閉する態様で回動可能に設けてある。
【００２５】
図１に示すように外扉３の前面上方域には、透明な電照板１１が嵌め込んであり、この電照板１１と、図２に示すように外扉３の内側面上方域に開閉可能に取り付けた中扉１２とによって展示室１３を画成している。図１に示すように展示室１３の内部には、自動販売機１が販売する商品の商品見本１４が展示してあり、電照板１１には、商品見本１４と対応するように関連づけた選択ボタン１５が配設してある。このため、自動販売機１の利用者は、商品見本１４を参照しながら商品の選択が可能となっている。なお、中扉１２は、外扉３の開閉に伴って上述した各ラック６の補充口６ａを開閉する。
【００２６】
図１に示すように外扉３の前側であって展示室１３の下方域には、ハンドル１６、硬貨投入口１７、紙幣挿入口１８、金額表示器１９、返却レバー２０、返却口２１および商品取出口２２が配設してある。
【００２７】
ハンドル１６は、外扉３の開閉端部側に設けてある。ハンドル１６は、外扉３に内蔵した施錠機構（図示せず）に連係してあり、閉塞した外扉３を本体キャビネット２に対して係止した状態を維持する一方、本体キャビネット２に係止した外扉３の係止状態を解除して外扉３を開放可能な状態に移行させるものである。硬貨投入口１７は、外扉３の内側に配設した図２に示すコインメカニズム２３と連通し、硬貨を受け入れる部分である。なお、コインメカニズム２３は、硬貨を収容する硬貨回収箱２４に連通している。紙幣挿入口１８は、外扉３の内側に配設した図２に示すビルバリデータ２５と連通し、紙幣を受け入れる部分である。金額表示器１９は、硬貨投入口１７からコインメカニズム２３に受け入れた硬貨や、紙幣挿入口１８からビルバリデータ２５に受け入れた紙幣の合計金額を表示するものである。なお、販売する商品の価格を超える貨幣が投入された場合には、選択ボタン１５の押下が有効となる。返却レバー２０は、販売中止命令を入力する部分である。返却レバー２０によって販売中止命令が入力された場合、受け入れた貨幣および釣銭を返却する。返却口２１は、コインメカニズム２３から払い出した釣銭や返却硬貨を受容する部分である。商品取出口２２は、上述した内扉８の排出口８ａから排出された商品を受容し、当該商品を利用者に受け渡すためのものである。
【００２８】
上述した自動販売機１では、外扉３に設けたコインメカニズム２３、硬貨回収箱２４およびビルバリデータ２５に収容してある貨幣を不正に取り出す行為を防ぐための防盗構造を有している。具体的に不正行為とは、閉鎖状態にある外扉３をバールなどでこじ開けて破壊する行為であって、ハンドル１６側の施錠機構が壊しにくいことからヒンジ軸１０側が多く狙われている。そこで、本発明では、防盗構造として係合対を備えている。
【００２９】
図３は本発明の実施例１に係る防盗構造の要部である係合対の第１係合部を示す斜視図、図４は本発明の実施例１に係る防盗構造の要部である係合対の第２係合部を示す斜視図、図５は図３に示した係合対の第１係合部を自動販売機に取り付けた状態を示す外扉の内側から見た斜視図、図６は図４に示した係合対の第２係合部を自動販売機に取り付けた状態を示す前方から見た斜視図、図７は自動販売機の外扉を閉塞状態にした平断面図である。
【００３０】
図３〜図７に示すように係合対３０は、第１係合部３１と第２係合部３２とをからなる。第１係合部３１は、鋼材によって形成してあって、図５に示すように上述した自動販売機１における外扉３の下端部内側に取り付けてある。第１係合部３１は、固定片３１１と係合鉤片３１２とを有している。固定片３１１は、外扉３の内側に設けた既設の補強部材３ａ（図５および図７参照）の下端部に対して固定ボルト３１３によって固定してある。係合鉤片３１２は、固定片３１１に対して一体に設けてあって、外扉３の内側であって本体キャビネット２の内部において側方に向かって延在してある。また、係合鉤片３１２の延在端３１２ａは、上方に向かって折曲してある。
【００３１】
第２係合部３２は、鋼材によって形成してあって、図６に示すように上述した自動販売機１における本体キャビネット２の底台２ａに取り付けてある。第２係合部３２は、固定片３２１と係合穴片３２２とを有している。固定片３２１は、本体キャビネット２の内部である底台２ａの上面に対して固定ボルト３２３によって固定してある。係合穴片３２２は、板片状に形成してあり固定片３２１に対して一体に設けてあって、本体キャビネット２の内部において、その板面を側方に向けて上方に延在してある。係合穴片３２２の板面には、係合穴３２２ａが貫通して設けてある。係合穴３２２ａの開口縁には、当該係合穴３２２ａを形成するにあたり切り抜いた舌片３２２ｂを立て起こしてある。また、係合穴片３２２の周縁には、補強用の折曲片３２２ｃが設けてある。この折曲片３２２ｃは、図６に示すように第２係合部３２を底台２ａに取り付けた状態において、本体キャビネット２の周壁２ｃの内側の補強部材の凹部に挿通される。また、固定片３２１と係合穴片３２２とは略Ｌ字形状を呈して形成してあり、補強片３２４によって互いの強度を向上してある。なお、第２係合部３２は、底台２ａに設けたヒンジ軸１０の後側に配置してある。
【００３２】
上述した係合対３０は、図７に示すように外扉３を閉塞状態にしたとき、第１係合部３１における係合鉤片３１２が、第２係合部３２における係合穴片３２２の係合穴３２２ａに挿通係合する。係合鉤片３１２は、外扉３が開放状態にあるときに係合穴３２２ａから離間し、外扉３が閉塞状態になったときに係合穴３２２ａに挿通係合するように外扉３とともにヒンジ軸１０の周りに回転移動する。
【００３３】
このように構成した実施例１における自動販売機の防盗構造では、外扉３が閉塞状態にあるときにヒンジ軸１０を中心にした移動以外の方向への外扉３の移動を係合対３０が互いに係合して阻止する。
【００３４】
具体的には、図７に示す状態から外扉３を上方に移動しようとする不正行為がある。この場合、第１係合部３１の係合鉤片３１２が第２係合部３２の係合穴３２２ａに挿通しているため、係合鉤片３１２が係合穴３２２ａの周縁に当接して第１係合部３１の上方への移動を阻止することになる。この結果、外扉３を上方に移動することができない。
【００３５】
また、図７に示す状態から外扉３を前方にこじ開けようとする不正行為がある。この場合、第１係合部３１の係合鉤片３１２が第２係合部３２の係合穴３２２ａに挿通しているため、係合鉤片３１２が係合穴３２２ａの周縁に当接して第１係合部３１の前方への移動を阻止することになる。この結果、外扉３を前方に移動することができない。なお、外扉３を前方にこじ開けようとしたときには、ヒンジ軸１０が邪魔をして外扉３が若干上方に持ち上がることになる。この結果、係合対３０がヒンジ軸１０の後側で互いに係合しているために、係合鉤片３１２の折曲した延在端３１２ａが係合穴３２２ａの周縁に掛かるので、外扉３の側方への移動をも阻止することになる。
【００３６】
さらに、図７に示す状態から周壁２ｃを外側に変形して外扉３をこじ開けようとする不正行為がある。この場合、第１係合部３１が外扉３に固定してあり、第２係合部３２が底台２ａに固定してあって、自動販売機１における本体キャビネット２の周壁２ｃと関わらず設けてある。このため、本体キャビネット２の周壁２ｃを外側に変形して外扉３をこじ開けようとする不正行為があっても、係合対３０の互いの係合を無効化することができないので外扉３は開放できない。
【００３７】
なお、係合対３０は、本体キャビネット２の内部に配置してある。このため、自動販売機１の外部から係合対３０の位置を認識することができず、係合対３０の互いの係合を無効化する不正行為を回避することが可能である。さらに、係合対３０をヒンジ軸１０から離間して設ければ、尚更、自動販売機１の外部から係合対３０の位置を認識することができず、係合対３０の互いの係合を無効化する不正行為を回避することが可能である。
【００３８】
また、係合対３０は、第１係合部３１と第２係合部３２を、外扉３と本体キャビネット２の周壁２ｃの上端を支持する天板２ｂとにそれぞれ固定してもよい。
【００３９】
このように上述した実施例１における自動販売機の防盗構造は、外扉３を上方に持ち上げる不正行為、外扉３を前方にこじ開ける不正行為、もしくは本体キャビネット２の周壁２ｃを外側に変形する不正行為があっても外扉の開放を防止することが可能である。
【実施例２】
【００４０】
以下に説明する実施例２において、自動販売機１の構成については、上述した実施例１と同様であるため同一符号を付して説明を省略する。
【００４１】
図８は本発明の実施例２に係る防盗構造の要部である係合対の第１係合部を示す斜視図、図９は本発明の実施例２に係る防盗構造の要部である係合対の第２係合部を示す斜視図、図１０は図８に示した係合対の第１係合部を自動販売機に取り付けた状態を示す外扉の内側から見た斜視図、図１１は図９に示した係合対の第２係合部を自動販売機に取り付けた状態を示す前方から見た斜視図、図１２は自動販売機の外扉を閉塞状態にした平断面図である。
【００４２】
図８〜図１２に示すように係合対４０は、第１係合部４１と第２係合部４２とをからなる。第１係合部４１は、鋼材によって形成してあって、図１０に示すように上述した自動販売機１における外扉３の下端部内側に取り付けてある。第１係合部４１は、固定片４１１と係合鉤片４１２とを有している。固定片４１１は、外扉３の内側に設けた既設の補強部材３ａ（図１０および図１２参照）の下端部に対して固定ボルト４１３によって固定してある。係合鉤片４１２は、固定片４１１に対して一体に設けてあって、外扉３の内側であって本体キャビネット２の内部において後方に向かって延在してある。また、係合鉤片４１２の延在端４１２ａは、上方に向かって折曲してある。
【００４３】
第２係合部４２は、鋼材によって形成してあって、図１１に示すように上述した自動販売機１における本体キャビネット２の底台２ａに取り付けてある。第２係合部４２は、固定片４２１と係合穴片４２２とを有している。固定片４２１は、本体キャビネット２の内部である底台２ａの上面に対して固定ボルト４２３によって固定してある。係合穴片４２２は、板片状に形成してあり固定片４２１に対して一体に設けてあって、本体キャビネット２の内部において、その板面を前後に向けて上方に延在してある。係合穴片４２２の板面には、係合穴４２２ａが貫通して設けてある。係合穴４２２ａの開口縁には、当該係合穴４２２ａを形成するにあたり切り抜いた舌片４２２ｂを立て起こして略Ｌ字形状に折曲してある。この舌片４２２ｂは、図１１に示すように第２係合部４２を底台２ａに取り付けた状態において、本体キャビネット２の周壁２ｃの内側の補強部材の凹部に挿通される。また、固定片４２１と係合穴片４２２とは略Ｌ字形状を呈して形成してあり、補強片４２４によって互いの強度を向上してある。なお、第２係合部４２は、底台２ａに設けたヒンジ軸１０の後側に配置してある。
【００４４】
上述した係合対４０は、図１２に示すように外扉３を閉塞状態にしたとき、第１係合部４１における係合鉤片４１２が、第２係合部４２における係合穴片４２２の係合穴４２２ａに挿通係合する。係合鉤片４１２は、外扉３が開放状態にあるときに係合穴４２２ａから離間し、外扉３が閉塞状態になったときに係合穴４２２ａに挿通係合するように外扉３とともにヒンジ軸１０の周りに回転移動する。
【００４５】
このように構成した実施例２における自動販売機の防盗構造では、外扉３が閉塞状態にあるときにヒンジ軸１０を中心にした移動以外の方向への外扉３の移動を係合対４０が互いに係合して阻止する。
【００４６】
具体的には、図１２に示す状態から外扉３を上方に移動しようとする不正行為がある。この場合、第１係合部４１の係合鉤片４１２が第２係合部４２の係合穴４２２ａに挿通しているため、係合鉤片４１２が係合穴４２２ａの周縁に当接して第１係合部４１の上方への移動を阻止することになる。この結果、外扉３を上方に移動することができない。
【００４７】
また、図１２に示す状態から外扉３を前方にこじ開けようとする不正行為がある。この場合、ヒンジ軸１０が邪魔をして外扉３が若干上方に持ち上がることになる。すると、係合対４０がヒンジ軸１０の後側で互いに係合しているために、係合鉤片４１２の折曲した延在端４１２ａが係合穴４２２ａの周縁に掛かるので、第１係合部４１の前方への移動を阻止することになる。この結果、外扉３を前方に移動することができない。
【００４８】
さらに、図１２に示す状態から周壁２ｃを外側に変形して外扉３をこじ開けようとする不正行為がある。この場合、第１係合部４１が外扉３に固定してあり、第２係合部４２が底台２ａに固定してあって、自動販売機１における本体キャビネット２の周壁２ｃと関わらず設けてある。このため、本体キャビネット２の周壁２ｃを外側に変形して外扉３をこじ開けようとする不正行為があっても、係合対４０の互いの係合を無効化することができないので外扉３は開放できない。
【００４９】
また、係合対４０は、第１係合部４１の係合鉤片４１２が第２係合部４２の係合穴４２２ａに挿通しているため、外扉３の側方への移動をも阻止することになる。
【００５０】
なお、係合対４０は、本体キャビネット２の内部に配置してある。このため、自動販売機１の外部から係合対４０の位置を認識することができず、係合対４０の互いの係合を無効化する不正行為を回避することが可能である。
【００５１】
また、係合対４０は、第１係合部４１と第２係合部４２を、外扉３と本体キャビネット２の周壁２ｃの上端を支持する天板２ｂとにそれぞれ固定してもよい。
【００５２】
このように上述した実施例２における自動販売機の防盗構造は、外扉３を上方に持ち上げる不正行為、外扉３を前方にこじ開ける不正行為、もしくは本体キャビネット２の周壁２ｃを外側に変形する不正行為があっても外扉の開放を防止することが可能である。
【実施例３】
【００５３】
以下に説明する実施例３において、自動販売機１の構成については、上述した実施例１と同様であるため同一符号を付して説明を省略する。
【００５４】
図１３は本発明の実施例３に係る防盗構造の要部である係合対の第１係合部を示す斜視図、図１４は本発明の実施例３に係る防盗構造の要部である係合対の第２係合部を示す斜視図、図１５は図１３に示した係合対の第１係合部を自動販売機に取り付けた状態を示す外扉の内側から見た斜視図、図１６は図１４に示した係合対の第２係合部を自動販売機に取り付けた状態を示す前方から見た斜視図、図１７は自動販売機の外扉を閉塞状態にした側面視縦断面図である。
【００５５】
図１３〜図１７に示すように係合対５０は、第１係合部５１と第２係合部５２とをからなる。第１係合部５１は、鋼材によって形成してあって、図１５に示すように上述した自動販売機１における外扉３の下端部内側に取り付けてある。第１係合部５１は、固定片５１１と係合鉤片５１２とを有している。固定片５１１は、外扉３の内側に設けた既設の補強部材３ａ（図１５および図１７参照）の下端部に対して固定ボルト５１３によって固定してある。係合鉤片５１２は、固定片５１１に対して一体に設けてある。この係合鉤片５１２は、外扉３の内側であって本体キャビネット２の内部において、一旦前方に向かって延在して迂回しつつ後方に向かって略コ字形状に延在してある。また、係合鉤片５１２の延在端５１２ａは、上方に向かって折曲してある。
【００５６】
第２係合部５２は、鋼材によって形成してあって、図１６に示すように上述した自動販売機１における本体キャビネット２の底台２ａに取り付けてある。第２係合部５２は、固定片５２１と係合穴片５２２とを有している。固定片５２１は、本体キャビネット２の内部である底台２ａの上面に対して固定ボルト５２３によって固定してある。係合穴片５２２は、板片状に形成してあり固定片５２１に対して一体に設けてあって、本体キャビネット２の内部において、その板面を上下に向けて前方に延在してある。係合穴片５２２の板面には、係合穴５２２ａが貫通して設けてある。また、係合穴片５２２の周縁には、補強用の折曲片５２２ｃが設けてある。この折曲片５２２ｃは、図１６に示すように第２係合部５２を底台２ａに取り付けた状態において、本体キャビネット２の周壁２ｃの内側の補強部材の凹部に挿通される。
【００５７】
上述した係合対５０は、図１７に示すように外扉３を閉塞状態にしたとき、第１係合部５１における略コ字形状の係合鉤片５１２が、第２係合部５２の係合穴片５２２を上下から挟む形態となる。係合鉤片５１２は、外扉３が開放状態にあるときに係合穴片５２２から離間し、外扉３が閉塞状態になったときに係合穴片５２２を挟む位置に至るように外扉３とともにヒンジ軸１０の周りに回転移動する。
【００５８】
このように構成した実施例３における自動販売機の防盗構造では、外扉３が閉塞状態にあるときにヒンジ軸１０を中心にした移動以外の方向への外扉３の移動を係合対５０が互いに係合して阻止する。
【００５９】
具体的には、図１７に示す状態から外扉３を上方に移動しようとする不正行為がある。この場合、第１係合部５１の係合鉤片５１２が第２係合部５２の係合穴片５２２を挟んでいるため、係合鉤片４１２が係合穴片４２２に当接して第１係合部５１の上方への移動を阻止することになる。この結果、外扉３を上方に移動することができない。
【００６０】
また、図１７に示す状態から外扉３を前方にこじ開けようとする不正行為がある。この場合、ヒンジ軸１０が邪魔をして外扉３が若干上方に持ち上がることになる。すると、係合対５０がヒンジ軸１０の後側で互いに係合しているために、係合鉤片５１２の折曲した延在端５１２ａが係合穴５２２ａの周縁に掛かるので、第１係合部５１の前方への移動を阻止することになる。この結果、外扉３を前方に移動することができない。なお、外扉３を前方にこじ開けようとしたときには、係合鉤片５１２の折曲した延在端５１２ａが係合穴５２２ａの周縁に掛かるので、外扉３の側方への移動をも阻止することになる。
【００６１】
さらに、図１７に示す状態から周壁２ｃを外側に変形して外扉３をこじ開けようとする不正行為がある。この場合、第１係合部５１が外扉３に固定してあり、第２係合部５２が底台２ａに固定してあって、自動販売機１における本体キャビネット２の周壁２ｃと関わらず設けてある。このため、本体キャビネット２の周壁２ｃを外側に変形して外扉３をこじ開けようとする不正行為があっても、係合対５０の互いの係合を無効化することができないので外扉３は開放できない。
【００６２】
なお、係合対５０は、本体キャビネット２の内部に配置してある。このため、自動販売機１の外部から係合対５０の位置を認識することができず、係合対５０の互いの係合を無効化する不正行為を回避することが可能である。
【００６３】
また、係合対５０は、第１係合部５１と第２係合部５２を、外扉３と本体キャビネット２の周壁２ｃの上端を支持する天板２ｂとにそれぞれ固定してもよい。
【００６４】
このように上述した実施例３における自動販売機の防盗構造は、外扉３を上方に持ち上げる不正行為、外扉３を前方にこじ開ける不正行為、もしくは本体キャビネット２の周壁２ｃを外側に変形する不正行為があっても外扉の開放を防止することが可能である。
【００６５】
なお、上述した実施例１〜実施例３において、係合対３０，４０，５０の第１係合部３１，４１，５１と第２係合部３２，４２，５２とを、外扉３と本体キャビネット２の周壁２ｃの上端を支持する天板２ｂとに設けてもよい。このため、防盗性を向上することが可能になる。
【図面の簡単な説明】
【００６６】
【図１】本発明に係る防盗構造を適用した自動販売機の外観を示す正面図である。
【図２】図１に示した自動販売機の内部構造を示す斜視図である。
【図３】本発明の実施例１に係る防盗構造の要部である係合対の第１係合部を示す斜視図である。
【図４】本発明の実施例１に係る防盗構造の要部である係合対の第２係合部を示す斜視図である。
【図５】図３に示した係合対の第１係合部を自動販売機に取り付けた状態を示す外扉の内側から見た斜視図である。
【図６】図４に示した係合対の第２係合部を自動販売機に取り付けた状態を示す前方から見た斜視図である。
【図７】自動販売機の外扉を閉塞状態にした平断面図である。
【図８】本発明の実施例２に係る防盗構造の要部である係合対の第１係合部を示す斜視図である。
【図９】本発明の実施例２に係る防盗構造の要部である係合対の第２係合部を示す斜視図である。
【図１０】図８に示した係合対の第１係合部を自動販売機に取り付けた状態を示す外扉の内側から見た斜視図である。
【図１１】図９に示した係合対の第２係合部を自動販売機に取り付けた状態を示す前方から見た斜視図である。
【図１２】自動販売機の外扉を閉塞状態にした平断面図である。
【図１３】本発明の実施例３に係る防盗構造の要部である係合対の第１係合部を示す斜視図である。
【図１４】本発明の実施例３に係る防盗構造の要部である係合対の第２係合部を示す斜視図である。
【図１５】図１３に示した係合対の第１係合部を自動販売機に取り付けた状態を示す外扉の内側から見た斜視図である。
【図１６】図１４に示した係合対の第２係合部を自動販売機に取り付けた状態を示す前方から見た斜視図である。
【図１７】自動販売機の外扉を閉塞状態にした側面視縦断面図である。
【符号の説明】
【００６７】
１    自動販売機
２    本体キャビネット
２ａ    底台
２ｂ    天板
２ｃ    周壁
３    外扉
３ａ    補強部材
１０    ヒンジ軸
３０    係合対
３１    第１係合部
３１１    固定片
３１２    係合鉤片
３１２ａ    延在端
３１３    固定ボルト
３２    第２係合部
３２１    固定片
３２２    係合穴片
３２２ａ    係合穴
３２２ｂ    舌片
３２２ｃ    折曲片
３２３    固定ボルト
３２４    補強片
４０    係合対
４１    第１係合部
４１１    固定片
４１２    係合鉤片
４１２ａ    延在端
４１３    固定ボルト
４２    第２係合部
４２１    固定片
４２２    係合穴片
４２２ａ    係合穴
４２２ｂ    舌片
４２３    固定ボルト
４２４    補強片
５０    係合対
５１    第１係合部
５１１    固定片
５１２    係合鉤片
５１２ａ    延在端
５１３    固定ボルト
５２    第２係合部
５２１    固定片
５２２    係合穴片
５２２ａ    係合穴
５２２ｃ    折曲片
５２３    固定ボルト
【図１】
2006065474.tif 000003
【図２】
2006065474.tif 000004
【図３】
2006065474.tif 000005
【図４】
2006065474.tif 000006
【図５】
2006065474.tif 000007
【図６】
2006065474.tif 000008
【図７】
2006065474.tif 000009
【図８】
2006065474.tif 000010
【図９】
2006065474.tif 000011
【図１０】
2006065474.tif 000012
【図１１】
2006065474.tif 000013
【図１２】
2006065474.tif 000014
【図１３】
2006065474.tif 000015
【図１４】
2006065474.tif 000016
【図１５】
2006065474.tif 000017
【図１６】
2006065474.tif 000018
【図１７】
2006065474.tif 000019